(57)【特許請求の範囲】
【請求項１】
少なくとも二つの焦点距離を有するコンタクトレンズであって、このレンズが目に対して並進移動されることを可能にする単一の下側支持表面（１）と、レンズの下側部だけに位置するエリア（９）とを有し、このエリア（９）は外側面と内側面を有し、外側面は凹部を介してレンズの残りの外側面（Ｅ）に接続され、内側面はレンズの残りの内側面（ｉ）と区別がつかず、前記凹部は前記下側支持表面（１）を規定しており、前記エリア（９）の平均厚さ（ｅ４）は、前記レンズの上側縁（３）の平均厚さ（ｅ１）と同じ大きさであることを特徴とするコンタクトレンズ。
【請求項２】
前記凹部が凹面と凸面の組合せによって規定されることを特徴とする請求項１に請求されるコンタクトレンズ。
【請求項３】
硬性レンズ、可撓性レンズ、または可撓性部分と硬性部分の両方からなる混合レンズであることを特徴とする請求項１と２に請求されるコンタクトレンズ。
【請求項４】
その内側面（ｉ）上に形成されその上側縁（３）に通じる削り部（１１）を有することを特徴とする請求項３に請求されるコンタクトレンズ。
【請求項５】
前記削り部（１１）が４０°と１４０°の間の角度扇形に広がっていることを特徴とする請求項４に請求されるコンタクトレンズ。
【請求項６】
前記下側支持表面（１）が２００°と３４０°の間の角度扇形（α）に広がっていることを特徴とする請求項１ないし５のいずれかひとつに請求されるコンタクトレンズ。
【請求項７】
前記エリア（９）の下側縁から前記下側支持表面（１）を分離している２７０°における半径方向の距離（ｄ）が０．２ｍｍと１．５ｍｍの間にあることを特徴とする請求項１ないし６のいずれかひとつに請求されるコンタクトレンズ。
【請求項８】
前記下側支持表面（１）の半径方向のちょうど内側とちょうど外側における前記レンズのそれぞれの厚さ（ｅ３、ｅ４）の間の比が３と５の間にあることを特徴とする請求項１ないし７のいずれかひとつに請求されるコンタクトレンズ。
【請求項９】
その直径が８ｍｍと１６ｍｍの間にあることを特徴とする請求項１ないし８のいずれかひとつに請求されるコンタクトレンズ。
【請求項１０】
その内側面（ｉ）の曲率半径が４ｍｍと１２ｍｍの間にあることを特徴とする請求項１〜９のいずれかひとつに請求されるコンタクトレンズ。
【発明の詳細な説明】
【技術分野】
【０００１】
本発明はコンタクトレンズに関し、上方に並進移動および／または安定しなければならない様々なタイプのレンズに使用されてもよい。
【背景技術】
【０００２】
ここに添付された図１と２に示されるような、下側支持表面でコンタクトレンズを安定させる原理が知られている。
【０００３】
「下側支持表面」は、その一部に関して「薄い」、すなわち、上まぶたの下に進入するのに適している上側縁３とは異なり、下側縁１が下まぶたの縁に衝突するのに十分に厚く、その下に進入することがないことを表している。
【０００４】
下まぶたの端上のレンズの下側縁の迫台のために、下方を見るときにレンズを上方へ並進移動させる可能性が得られる。これは目の上のレンズの「並進移動」と呼ばれる。
【０００５】
さらに、その下側縁と上側縁の間の厚さしたがって重さの違いのために、レンズは、目に対してその向きを維持する傾向があり、すなわち、後者に対して回転しない。それはレンズが「安定」されると言われる。
【０００６】
これらの安定と並進移動の特徴は、異なる光学矯正ゾーンを有するレンズを作製することを可能にし、これらの様々なゾーンの一つから他への目の動きが上方または下方への目の動きによって得られる。
【０００７】
多数の矯正ゾーンを持つそのようなレンズはとりわけ、遠視を矯正するために使用されるいくつかの焦点距離を有するレンズであってもよい。
【先行技術文献】
【特許文献】
【０００８】
【特許文献１】欧州特許第０７４２４６２号明細書
【発明の概要】
【０００９】
レンズの並進移動を増大させるために、ここに添付された図１に見られるような、下側縁１を切断する実施が知られている。この下側縁は、下まぶたの縁のカーブに実質的に対応するカーブを有し、それによって、目の上でのレンズの回転の危険を制限して安定を促進するのを助けるある種の平らな面を形成する。
【００１０】
下側支持表面を持つこれらのレンズは、それらの上側部と下側部の間に非対称を有しており、とりわけ、たとえば文献ＥＰ０７４２４６２のレンズなどの非点収差の矯正に使用される対称的なレンズとは異なっている。
【００１１】
より正確には、下側支持表面を持つこれらのレンズは、レンズの下側部に位置する単一の支持表面を有しているが、ＥＰ０７４２４６２に説明されるものなどのレンズは、目に対する中心位置にレンズが保持されることを可能にする二つの対称的な支持表面を有している（目に対するレンズの並進移動は望まれない）。
【００１２】
その相対的な厚さのために、下側支持表面を持つレンズの下側縁は不快で劣った生理学的な容認を作り出し得る。
【００１３】
本発明の特別の目的は、快適な生理学的な容認および上質の視力を高めることである。
【００１４】
発明の目的は、少なくとも二つの焦点距離を有するコンタクトレンズであって、このレンズが目に対して並進移動されることを可能にする下側支持表面と、レンズの下側部に位置するエリアとを有し、このエリアは外側面と内側面を有し、外側面は凹部を介してレンズの残りの外側面に接続され、内側面はレンズの残りの内側面と区別がつかず、前記凹部は前記下側支持表面を規定しており、このレンズは、前記エリアが薄い、すなわち、前記レンズの上側縁の厚さとほぼ同じ大きさの平均厚さを有するコンタクトレンズで達成される。
【００１５】
「下側支持表面」は、本発明のコンテキストの中において、また既に上に表されたような、「レンズの下側部に位置する単一の支持表面」を意味する。
【００１６】
その薄さのために、発明によるレンズの下側エリアは下まぶたの縁の下に進入することが可能である。
【００１７】
したがって、従来技術のものでは、下側支持表面は、下まぶたの縁に対する迫台としてのその機能を果たし続けるが、薄い下側エリアは、その一部に関して、レンズの下側縁をその上側縁と同様にし、したがって上側縁と同じレベルの機械的および生理学的な互換性を持つことを可能にする。
【００１８】
発明によるレンズの他のオプションの特徴によると、
・前記凹部は、凹面半径と凸面半径の組合せによって規定される。
【００１９】
・前記レンズは、硬性、可撓性または両者の混合である。
【００２０】
・前記可撓性レンズは、その内側面上に形成されその上側縁に通じる外開き（opening-out）を有している。そのような外開きは、白眼の半径と一致する半径の選択によってレンズの並進移動を促進し、涙の流れを促進する。
【００２１】
・前記外開きは、４０°と１４０°の間の角度扇形に、不定の半径方向の距離に広がっている。
【００２２】
・前記下側支持表面は、２００°と３４０°の間の角度扇形に広がっている。そのような角度の拡張は、レンズの最適安定を可能にする。
【００２３】
・前記エリアの下側縁から前記下側支持表面を分離している２７０°における半径方向の距離は０．２と１．５ｍｍの間にある。
【００２４】
・前記下側支持表面の半径方向のちょうど内側とちょうど外側における前記レンズのそれぞれの厚さの間の比は３と５の間にある。
【００２５】
・前記レンズの直径は８と１６ｍｍの間にある。
【００２６】
・前記レンズの内側面の曲率半径は４と１２ｍｍの間にある。
【００２７】
本発明の他の特徴と利点は、続く説明の考慮および添付図面の考査から明らかになるであろう。
【図面の簡単な説明】
【００２８】
【図１】・図１は、本説明の前置きに説明されるような従来技術のレンズの正面図である。
【図２】・図２は、図１のレンズのＩＩ−ＩＩ線上の断面の図である。
【図３】・図３は、発明によるレンズの図１と同様の図である。
【図４】・図４は、発明によるレンズの図２と同様の図である。
【図５】・図５は、図４のゾーンＶの詳細図である。
【００２９】
これらの図面のすべてにおいて、同一または同様の参照数字は同一または同様の部材または部材の組を示している。
【発明を実施するための形態】
【００３０】
図１と３に見られるように、角度指示によってレンズを言及することは普通であり、値０°と１８０°は、それぞれ目の左と右に当てられるように設計されたレンズの部分を示し、値９０°と２７０°は、それぞれ目の上部と下部に当てられるように設計されたレンズの部分を示している。
【００３１】
本特許の文脈の中で使用される「上側」と「下側」は、それぞれ、角度値９０°と２７０°の近傍に位置するレンズのゾーンを示す。
【００３２】
「内側面」は、目に当てられるように設計されたレンズの凹面ｉを示し、「外側面」は、レンズの別の面Ｅを示す。
【００３３】
図３に見られるように、発明によるレンズの縁５はほぼ円形をしている。
【００３４】
この縁によって規定された円は直径が一般に８と１６ｍｍの間にあってもよい。
【００３５】
円形の線７は、このレンズの光学的活性ゾーン、すなわち、目によって使用されるように設計されたこのレンズのゾーンを表わす。
【００３６】
この光学的活性ゾーンの直径は一般に４と１３ｍｍの間に位置していてもよい。
【００３７】
レンズの内側面ｉの曲率半径は明らかに目の曲率に依存し、一般に４と１２ｍｍの間にあってもよい。
【００３８】
図４に見られるように、レンズの上側縁３は薄く、すなわち、目と上まぶたの間に進入できるのに適しており、この上側縁の厚さｅ１は一般にほぼ０．１２ｍｍとすることができる。
【００３９】
図示の例では、（３ジオプトリーのパワーを持つレンズ）ほぼ０．４ｍｍの厚さに達するために、レンズの厚さは、その上側縁３からその中心Ａまで増大する。この厚さは次に、下側支持表面１の半径方向のちょうど内側に位置するゾーンでほぼ０．６ｍｍの値ｅ３に達するために、レンズの中心Ａとレンズの下側支持表面１の間で変化する。
【００４０】
そのようなレンズは、例証的かつ非限定的な例として提供されるもので、遠視の矯正に適している二焦点レンズで一般にあってもよい。
【００４１】
図１と２に見られる先行技術のレンズと異なり、レンズはその下側支持表面１で終わらない。この支持表面は、薄いエリア９によって下方に（すなわち、２７０°に位置するゾーンに向かって）実際に延びている。
【００４２】
「薄いエリア」は、目と下まぶたの間に進入するのに適している部分を意味する。したがって、このエリア９の平均厚さｅ４は、上側縁３の平均厚さとほぼ同じ大きさ、すなわちほぼ０．１２ｍｍである。
【００４３】
厚さｅ３とｅ４の間の比は、一般に３と５の間にあってもよい。
【００４４】
薄いエリア９の内側面はレンズの残りの内側面ｉと一致するが、このエリア９の外側面はレンズの残りの外側面Ｅに対して凹部を形成する。この凹部は、下側支持表面１を規定する適切な数式によって規定され、下まぶたの縁に衝突するのに適している。
【００４５】
図５に見られるように、この凹部は、凹面半径ｒと凸面半径ｒ’を持つ放射状部分を有し、これらの部分は、薄いエリア９の外側表面がレンズの外側表面Ｅに接続することを可能にする。
【００４６】
この凹部のエンドの近傍に、半径ｒとｒ’のくぼみは図５に示されるものに対して逆にすることができることに注意されたい。
【００４７】
図３に見られるように、薄いエリア９は一般に２００°と３４０°の間の角度拡張αを有することができる。
【００４８】
発明によるレンズは、硬性レンズ、可撓性レンズまたは混合レンズ、すなわち、可撓性と硬性部分の両方からなる、であってもよい。
【００４９】
個人が下方を見るとき、硬性レンズは上方への自然な動きを示し、それは可撓性レンズの場合にはない。
【００５０】
可撓性レンズのこの並進移動を高めるために、レンズの上側縁３の内側面上に外開き（opening-out）１１を作製することが可能である。
【００５１】
そのような外開きは、一般に４０°と１４０°の間で不定の半径方向の距離であってよい角度エリアにわたって、レンズから材料を取り除くことによって得られる。
【００５２】
いま説明したレンズは、ＳＴＥＲＬＩＮＧによって販売されるＯＰＴＯＦＯＲＭ領域の旋盤などの、専門家産業において入手可能なマノメトリー旋盤によって作製することができる。
【００５３】
それ自体が知られているように、薄いエリア９と凹部１と外開き１１は、十分に制御された手法で、レンズの軸に平行に振動する切削工具によって得ることができる。
【００５４】
発明によるレンズはまた、この技術分野で慣習的に使用される成型法によって得られてもよい。
【００５５】
発明によるレンズの試料の方法と利点は、先の説明に直接に導かれる。
【００５６】
このレンズは個人の目の上に、その内側面ｉがこの目と接触するように置かれる。
【００５７】
レンズの重心が薄いエリア９に接近しているので、レンズは目の下部の方に向く。
【００５８】
適切な厚さｅ３とｅ４のために、個人が視線を下方へ移動させたときに下側支持表面１が下まぶたの縁に衝突する。
【００５９】
この状況において、薄いエリア９それ自体は目と下まぶたの間に滑り込む。
【００６０】
下まぶたの縁上の下側支持表面１の境界は、目がレンズの後方で下方へ移動し、したがって、このレンズ上に提供された様々な光学矯正ゾーンを使用することを可能にする。
【００６１】
レンズが可撓性である特別の場合に容易であるこの「並進移動」のために、目の上部へのレンズのこの並進移動を容易にすることを可能にする外開き１１を提供することは価値がある。
【００６２】
装着している個人が目をまばたきするとき、レンズの上側縁３の薄さは上まぶたがレンズに容易に重なることを可能にする。
【００６３】
図３に見られるように、下側支持表面１が、下まぶたの縁のカーブに実質的に対応するカーブを有するので、このレンズが、特に安定した手法で下まぶたの縁上にとどまることができ、したがって、このレンズが目の上で回転する危険を制限することに最後に注意されたい。
【００６４】
上記を考慮すると、薄いエリア９の存在によって、発明によるレンズの下側縁は、その上側縁の幾何学と同様の幾何学を有しており、すなわち、あまり厚くなく、機械的および生理学的視点から見て、先行技術の厚い下側縁を持つレンズよりも著しく良く適合することを理解することができる。
【００６５】
当然、本発明は、例として単に提供された、説明され図示された実施形態にまったく限定されない。
以下に、本願出願の当初の特許請求の範囲に記載された発明を付記する。
［１］少なくとも二つの焦点距離を有するコンタクトレンズであって、このレンズが目に対して並進移動されることを可能にする単一の下側支持表面（１）と、レンズの下側部に位置するエリア（９）とを有し、このエリア（９）は外側面と内側面を有し、外側面は凹部を介してレンズの残りの外側面（Ｅ）に接続され、内側面はレンズの残りの内側面（ｉ）と区別がつかず、前記凹部は前記下側支持表面（１）を規定しており、このレンズは、前記エリア（９）が薄い、すなわち、前記レンズの上側縁（３）の厚さ（ｅ１）とほぼ同じ大きさの平均厚さ（ｅ４）を有することを特徴とするコンタクトレンズ。
［２］前記凹部が凹面半径（ｒ）と凸面半径（ｒ’）の組合せによって規定されることを特徴とする［１］に請求されるコンタクトレンズ。
［３］硬性、可撓性または両者の混合であることを特徴とする［１］と［２］に請求されるコンタクトレンズ。
［４］その内側面（ｉ）上に形成されその上側縁（３）に通じる外開き（opening-out）（１１）を有することを特徴とする［３］に請求されるコンタクトレンズ。
［５］前記外開き（１１）が４０°と１４０°の間の角度扇形に広がっていることを特徴とする［４］に請求されるコンタクトレンズ。
［６］前記下側支持表面（１）が２００°と３４０°の間の角度扇形（α）に広がっていることを特徴とする［１］ないし［５］のいずれかひとつに請求されるコンタクトレンズ。
［７］前記エリア（９）の下側縁から前記下側支持表面（１）を分離している２７０°における半径方向の距離（ｄ）が０．２と１．５ｍｍの間にあることを特徴とする［１］ないし［６］のいずれかひとつに請求されるコンタクトレンズ。
［８］前記下側支持表面（１）の半径方向のちょうど内側とちょうど外側における前記レンズのそれぞれの厚さ（ｅ３、ｅ４）の間の比が３と５の間にあることを特徴とする［１］ないし［７］のいずれかひとつに請求されるコンタクトレンズ。
［９］その直径が８と１６ｍｍの間にあることを特徴とする［１］ないし［８］のいずれかひとつに請求されるコンタクトレンズ。
［１０］その内側面（ｉ）の曲率半径が４と１２ｍｍの間にあることを特徴とする［１］ないし［９］のいずれかひとつに請求されるコンタクトレンズ。
【図１】
0005595919.tif 000002
【図２】
0005595919.tif 000003
【図３】
0005595919.tif 000004
【図４】
0005595919.tif 000005
【図５】
0005595919.tif 000006